(57)【要約】【課題】開口部からの不快な吹き返しや、水滴の飛散が少なく、乾燥性能に優れた手乾燥装置を提供する。【解決手段】電動送風機が内蔵された箱状の本体ケーシングと、手を乾燥するため本体ケーシング内に設けられた手乾燥室と、前記本体ケーシングの正面に開設された前記手乾燥室に手を挿入するための開口部と、前記電動送風機から送給される空気流を前記手乾燥室内へ挿入された手に向かって吹き出すために設けられたノズルとを備えた手乾燥装置において、前記手乾燥室の左右側面を構成する前記本体ケーシングの一部に通気口を設けるとともに前記通気口の少なくとも一部に水滴の通過を防止する遮水手段を設けた。【選択図】  図１４
2005329266.tif 000002
【特許請求の範囲】
【請求項１】
電動送風機が内蔵された箱状の本体ケーシングと、手を乾燥するため本体ケーシング内に設けられた手乾燥室と、前記本体ケーシングの正面に開設された前記手乾燥室に手を挿入するための開口部と、前記電動送風機から送給される空気流を前記手乾燥室内へ挿入された手に向かって吹き出すために設けられたノズルとを備えた手乾燥装置において、前記手乾燥室の左右側面を構成する前記本体ケーシングの一部に通気口を設けるとともに前記通気口の少なくとも一部に水滴の通過を防止する遮水手段を設けたことを特徴とする手乾燥装置。
【請求項２】
前記遮水手段として、前記手乾燥室の左右側面を構成する本体ケーシングの一部に設けられた通気口を跨ぐ状態で複数の板状体を隙間を隔てて配置したことを特徴とする請求項１または２記載の手乾燥装置。
【請求項３】
前記板状体を、前記手乾燥室内に向かって下り勾配をなすように配置したことを特徴とする請求項３記載の手乾燥装置。
【請求項４】
前記遮水手段として、前記手乾燥室の左右側面を構成する本体ケーシングの一部に設け
られた通気口の少なくとも上縁部に前記手乾燥室内に向かって突出したリブを設けたこと
を特徴とする請求項２〜３のいずれかに記載の手乾燥装置。
【請求項５】
前記板状体および／または前記リブを当該装置の正面側または背面側に向かって下り勾
配をなすように配置したことを特徴とする請求項３〜４のいずれかに記載の手乾燥装置。
【請求項６】
前記手乾燥室の左右側面を構成する本体ケーシングの一部に設けられた通気口を、少なくとも前記手乾燥室の底面部を延長した面と前記本体ケーシングの側面を延長した面とが交差する位置の近傍に配置したことを特徴とする請求項１〜５のいずれかに記載の手乾燥装置。
【請求項７】
前記遮水手段、前記手乾燥室の左右側面を構成する前記本体ケーシングの一部の少なくとも一方が当該本体ケーシングに着脱可能であることを特徴とする請求項１〜６のいずれかに記載の手乾燥装置。
【発明の詳細な説明】
【技術分野】
【０００１】
本発明は、鉄道の駅、ホテル、映画館あるいは大型商業設備などの公共施設のトイレや
洗面所などに設置される手乾燥装置に関する。
【背景技術】
【０００２】
近年、鉄道の駅、ホテル、映画館あるいは大型商業設備などの公共施設のトイレや洗面
所などには、水洗いした後の濡れた手を所定の場所に差し込むと、自動的に吹き出す空気
流によって乾燥することのできる手乾燥装置が設置されていることが多い。従来の手乾燥
装置はトイレや洗面所の壁面に取り付けられ、上面に設けられた開口部から乾燥室内へ濡
れた手を差し込むと、内蔵された電動送風機が自動的にＯＮして乾燥室内へ空気流が吹き
出し、この空気流によって手に付着した水を吹き飛ばしながら乾燥するものが代表的であ
る（例えば、特許文献１〜３参照。）。
【０００３】
【特許文献１】特許第３０９４６８７号公報
【特許文献２】特開２００２-３４８４４号公報
【特許文献３】特開２００１-１０４２１１号公報
【発明の開示】
【発明が解決しようとする課題】
【０００４】
特許文献１に記載の手乾燥装置は、乾燥室の上面だけでなく、左右両側面も開放されて
いるので、開放感があり、左右側面からも濡れた手を差し込むことができるという点では
優れている。しかしながら、濡れた手を乾燥室で乾燥しているとき、空気流によって手か
ら吹き飛ばされた水滴が左右両側面の開放部分から外部へ飛散し、装置の周囲を汚すこと
がある。
【０００５】
特許文献２に記載の手乾燥装置は、乾燥室の上面のみが開放しているため、乾燥室内へ
差し込んだ手から吹き飛ばされた水滴が側面から直接飛散することはない。しかしながら
、電動送風機から乾燥室内へ吹き出した空気は乾燥室内を周回した後、吹き返しとなって
上面の開口部から吹き出すので、この吹き返しが顔や身体に当たって不快感を与えたり、
着衣の乱れが生じたりすることがある。また、この吹き返しに手から吹き飛ばされた水滴
が伴うと、装置の周囲に水滴が飛散することもある。そこで、このような吹き返しを抑制
するために、乾燥室内へ吹き出す空気流量を減少させると、乾燥性能が低下するという別
の問題が生じる。
【０００６】
一方、特許文献３に記載の手乾燥装置は、乾燥室の上面のみが開口している点では特許
文献２に記載の手乾燥装置と共通しているが、電動送風機の空気取り入れ口が乾燥室内に
配置されているため、乾燥室内へ吹き出した空気流の一部が、この空気取り入れ口から吸
い込まれる結果、前述した吹き返しが軽減され、水滴の飛散も抑制される。
【０００７】
しかしながら、空気取り入れ口から吸引される空気は、手から吹き飛ばされた水分を伴
っているため、これらの水分が電動送風機やその他の空気流路に浸入し、送風機の劣化な
どのトラブルを生じるおそれがある。
【０００８】
さらに、特許文献２，３に記載された手乾燥装置は、乾燥室の上面のみが開口した構造
であるため、乾燥室内を清掃する場合、乾燥室の隅々まで清掃作業者の手が届かず、清掃
がしにくい。
【０００９】
本発明が解決しようとする課題は、上面開口部からの不快な吹き返しや、装置周辺への
水滴の飛散が少なく、乾燥性能に優れた手乾燥装置を提供することにある。
【課題を解決するための手段】
【００１０】
請求項１記載の発明は、電動送風機が内蔵された箱状の本体ケーシングと、手を乾燥す
るために本体ケーシング内に設けられた手乾燥室と、前記本体ケーシングの上面および側
面または正面および側面に開設され前記手乾燥室と前記本体ケーシングの外部とを連通す
る開口部と、前記電動送風機から送給される空気流を前記手乾燥室内へ挿入された手に向
かって吹き出すために設けられたノズルとを備えた手乾燥装置において、前記本体ケーシ
ングの側面に開設された開口部の少なくとも一部に水滴の通過を防止する遮水手段を設け
たことを特徴とする。
【００１１】
このような構成とすることにより、本体ケーシングの上面および側面（または正面およ
び側面）にある開口部から手乾燥室内へ手を挿入すればノズルから手乾燥室内の手に向か
って吹き出される空気流によって手を乾燥することができる。そして、ノズルから手乾燥
室内へ吹き出された空気流は、本体ケーシングの側面に開設された開口部から外部へ排出
されるため、吹き返しが低減され、開口部に遮水手段を設けたことにより周辺装置への水
滴の飛散も少なくなり、優れた乾燥性能を発揮する。
【００１２】
請求項２の発明は、電動送風機が内蔵された箱状の本体ケーシングと、手を乾燥するた
め本体ケーシング内に設けられた手乾燥室と、前記本体ケーシングの上面または正面に開
設された前記手乾燥室に手を挿入するための開口部と、前記電動送風機から送給される空
気流を前記手乾燥室内へ挿入された手に向かって吹き出すために設けられたノズルとを備
えた手乾燥装置において、前記手乾燥室の左右側面を構成する前記本体ケーシングの一部
に通気口を設けるとともに前記通気口の少なくとも一部に水滴の通過を防止する遮水手段
を設けたことを特徴とする。
【００１３】
このような構成とすることにより、前述と同様、本体ケーシングの上面または正面にあ
る開口部から手乾燥室内へ手を挿入すればノズルから手乾燥室内の手に向かって吹き出さ
れる空気流によって手を乾燥することができる。そして、ノズルから手乾燥室内へ吹き出
された空気流は、手乾燥室の左右側面を構成する本体ケーシングの一部に設けられた通気
口から外部へ排出されるため、吹き返しが低減され、通気口に遮水手段を設けたことによ
り周辺装置への水滴の飛散も少なくなり、優れた乾燥性能を発揮する。
【００１４】
請求項３の発明は、前記遮水手段として、前記本体ケーシングの側面に開設された開口
部または前記手乾燥室の左右側面を構成する本体ケーシングの一部に設けられた通気口を
跨ぐ状態で複数の板状体を隙間を隔てて配置したことを特徴とする。このような構成とす
れば、乾燥中の濡れた手から吹き飛ばされた水滴は複数の板状体のいずれかに衝突して通
過が阻止され、板状体の隙間から空気流のみが排出されるようになるため、優れた遮水性
および通気性を得ることができ、乾燥機能も向上する。
【００１５】
請求項４の発明は、前記板状体を、前記手乾燥室内に向かって下り勾配をなすように配
置したことを特徴とする。通常、ノズルから手乾燥室内へ吹き出された空気流は、手乾燥
室に挿入された手に当たって下降していき、手乾燥室の底面に当接して左右に分流した後
、それぞれ左側面、右側面に当接して上昇流となるが、手乾燥室内に向かって下り勾配を
なすように板状体を配置すれば、前記上昇流は、各板状体の勾配に沿って斜め上方へ誘導
されスムーズに外部へ排出される。このため、空気流をさらに速やかに外部へ排出するこ
とが可能となり、乾燥性能がさらに向上する。
【００１６】
請求項５の発明は、前記遮水手段として、前記手乾燥室の左右側面を構成する本体ケー
シングの一部に設けられた通気口の少なくとも上縁部に前記手乾燥室内に向かって突出し
たリブを設けたことを特徴とする。このような構成とすれば、リブが庇として機能し、乾
燥中の濡れた手から吹き飛ばされて手乾燥室内の左右側面に付着した水滴はリブの上面を
伝って通気口を避けるように下方へ流れるため、水滴が直接通気口を通過して外部に飛散
するのを防止することができる。また、このような部分にリブを設けることにより、通気
口の上縁部付近の強度も向上する。
【００１７】
請求項６の発明は、前記板状体および／または前記リブを当該装置の正面側または背面
側に向かって下り勾配をなすように配置したことを特徴とする。このような構成とすれば
、濡れた手から吹き飛ばされた水滴は、これらの板材に衝突して付着した後、その下り勾
配に沿って流下するようになるので、水滴を効率良く一定場所に回収することが可能とな
る。
【００１８】
そのほか、前記板状体および／またはリブを当該装置の正面側または背面側に向かって
下り勾配をなすように配置することにより、当該装置の設置場所に適応した排気方向を設
定することができる。例えば、当該手乾燥装置に隣接する手洗い器やカウンターなどがあ
った場合、板状体および／またはリブを背面側に下り勾配とすることにより、通気口から
の排気方向を背面向きとすることができる。これにより、使用者および周辺に居る者に手
乾燥装置からの排気が当たるのを避けることができるため、周囲の者に排気による不快感
を与えるのを防止することができる。
【００１９】
請求項７の発明は、前記本体ケーシングの側面に開設された開口部または前記手乾燥室
の左右側面を構成する本体ケーシングの一部に設けられた通気口を、少なくとも前記手乾
燥室の底面部を延長した面と前記本体ケーシングの側面を延長した面とが交差する位置の
近傍に配置したことを特徴とする。このような構成とすれば、ノズルから手乾燥室内へ吹
き出された後、手乾燥室の底面に沿って流れる空気流は、前記本体ケーシングの側面の開
口部または前記手乾燥室の左右側面を構成する本体ケーシングに設けられた通気口を通し
て速やかに外部へ排出されることとなる。このため、手乾燥室からの排気がさらにスムー
ズに行われるようになり、上面の開口部からの吹き返しが確実に抑制されるだけでなく、
上面の開口部からの水滴の飛散も低減することができる。
【００２０】
請求項８の発明は、前記遮水手段、前記手乾燥室の左右側面を構成する前記本体ケーシ
ングの一部の少なくとも一方が当該本体ケーシングに着脱可能であることを特徴とする。
このような構成とすれば、必要に応じて、遮水手段あるいは手乾燥室の左右側面を構成す
る本体ケーシングの一部を、当該本体ケーシングから取り外すことが可能となるため、清
掃性、メンテナンス性が向上する。なお、着脱可能な部分は、本体ケーシングの側面全体
としたり、手乾燥室の側面に設けた開口部に嵌合させる前記板状体や前記リブを備えた嵌
合体のみとしたりすることができる。
【発明の効果】
【００２１】
手乾燥室の上面開口部からの不快な吹き返しや、手乾燥室の側面開口からの水滴の飛散
防止が可能となり、手乾燥装置周辺を汚すことが少なくなり、且つ優れた乾燥性能が得ら
れる。
【発明を実施するための最良の形態】
【００２２】
以下、図面に基づいて、本発明の実施の形態である手乾燥装置について説明する。図１
は本発明の実施の形態である手乾燥装置を洗面所に設置した状態を示す斜視図、図２は前
記手乾燥装置を示す斜視図、図３は図２のＡ-Ａ線における手挿入状態を示す部分断面図
、図４は図２のＢ-Ｂ線における手挿入状態を示す部分断面図、図５は図２に示す手乾燥
装置を構成する側面部材を内側から見た斜視図であり、図６は図３の部分拡大図である。
【００２３】
図１に示すように、本実施形態の手乾燥装置１は、例えば、洗面所などの壁面Ｗに設置
されている水栓２１付きの手洗い器２０の側方に設置され、水栓２１および手洗い器２０
を利用して手を洗った人が、濡れた手を乾燥するために使用するものである。
【００２４】
なお、図１は一例であって、本発明に係る手乾燥装置の設置場所を限定するものではな
いので、このほか、手洗い器の側方以外の壁に手乾燥装置を設置したり、カウンターに設
置された手洗い器の近くに手乾燥装置を設置したり、様々な設置形態を採用することがで
きる。
【００２５】
図２〜図４に示すように、手乾燥装置１は、電動送風機（図示せず）が内蔵された箱状
の本体ケーシング２と、本体ケーシング２の上面に開設された開口部３から挿入された手
Ｈを乾燥するため本体ケーシング２内に設けられた手乾燥室４と、電動送風機から送給さ
れる空気流を手乾燥室４内へ挿入された手Ｈに向かって吹き出すために設けられた複数の
ノズル５ｆ，５ｒとを備え、手乾燥室４の左右側面を構成する本体ケーシングの一部をな
す側面部材７，８に、それぞれ通気口９を設けている。
【００２６】
複数のノズル５ｆは、手乾燥室４の前方に位置する正面部材１０ｆに水平方向に沿って
等間隔に直列配置され、複数のノズル５ｒは、手乾燥室４の後方に位置する背面部材１０
ｒに水平方向に沿って等間隔に直列配置されている。また、ノズル５ｆ，５ｒの下方には
それぞれ、手乾燥室４内に差し込まれた手Ｈを検知するためのセンサ１２ａ，１２ｂが配
置されている。なお、図２，図３に示すように、複数のノズル５ｒ（５ｆ）は、複数の小
口径の小穴を水平方向に直線状に等間隔に配列して形成したものであるが、小穴の配置を
千鳥状に配置したり、間隔を変えて配置したりしてもよく、ノズルの形態も複数の小穴で
なく水平方向に長いスリット状の形態とすることも可能である。
【００２７】
手乾燥装置１においては、上面の開口部３から手乾燥室４に差し込まれた手Ｈをセンサ
１２ａ，１２ｂが検知して自動的に電動送風機（図示せず）を作動させ、複数のノズル５
ｆ，５ｒから吹き出す空気流を手Ｈに吹き付けて手Ｈの表面の水を吹き飛ばしたり、蒸発
させたりして、手Ｈを乾燥する。手Ｈが乾燥したところで、手乾燥室４から手Ｈを抜き取
ると、センサ１２ａ，１２ｂが、手Ｈが無くなったことを検知して自動的に電動送風機（
図示せず）を停止する。なお、手乾燥室４内に差し込まれた手Ｈから吹き飛ばされた水は
、手乾燥室４から排水経路（図示せず）を通って、手乾燥装置１の下部に配置された回収
容器１１に流れ込む構成となっている。
【００２８】
手乾燥室４は、正面部材１０ｆ、背面部材１０ｒ、側面部材７，８および底面部材１０
ｕによって前後左右および底面が囲まれ、上面の開口部３が開放した構造である。側面部
材７，８には、それぞれ通気口９が開設され、各通気口９には遮水手段の一つであるルー
バー６が設けられている。通気口９は、背面部材１０ｒおよび正面部材１０ｆにそれぞれ
配置された複数のノズル５ｒ，５ｆから吹き出した空気流が上面の開口部３から吹き返さ
ないように、手乾燥室４内の空気流を外部へ排出する機能を有している。
【００２９】
また、左右の側面部材７，８の通気口９に設けられたルーバー６は、それぞれ通気口９
を跨ぐ状態で隙間を隔てて配置された複数の板状体６ａによって構成されている。これら
のルーバー６は、手乾燥室４内に差し込まれた手Ｈから空気流によって吹き飛ばされた水
滴が、通気口９から直接飛散しないように水滴の飛散経路を遮蔽する機能を有している。
【００３０】
図４に示すように、乾燥室４に手Ｈを差し込むと、センサ１２ａ，１２ｂがそれを検知
して電動送風機（図示せず）が自動的に作動して、ノズル５ｆ，５ｒから手Ｈに向かって
空気流が吹き出す。このとき、手Ｈの甲側Ｈ２には複数のノズル５ｒから空気流が吹き付
けられ、手Ｈの掌側Ｈ１には複数のノズル５ｆから空気流が吹き付けられる。すなわち、
手Ｈの掌側Ｈ１および甲側Ｈ２の両面に対して同時に空気流が吹き付けられる。このよう
に、複数のノズル５ｆ，５ｒから吹き出す空気流を手Ｈの掌側Ｈ１および甲側Ｈ２に当て
、それぞれの表面に付着している水滴を吹き飛ばすことによって、手Ｈを乾燥する。
【００３１】
ノズル５ｒから吹き出した空気流は、手Ｈの甲側Ｈ２に当たって向きを変え、甲側Ｈ２
の表面に沿って上方および下方へ分流される。また、ノズル５ｆから吹き出した空気流は
、手Ｈの掌側Ｈ１に当たって向きを変え、掌側Ｈ１の表面に沿って上方および下方へ分流
される。
【００３２】
一方、空気流が正面部材１０ｆ、背面部材１０ｒおよび側面部材７，８の内面に斜めに
当たったときは、空気流の進行方向とのなす角度がより大きい方向へ向きが変わり、それ
ぞれ正面部材１０ｆ、背面部材１０ｒおよび側面部材７，８の内面に沿って多くの空気流
が流れていく。このように、進行方向の角度変化が小さい方向に空気流は向かう性質があ
ることは広く知られているが、一般に、手Ｈの形状は手首側が厚くて指先に向かって徐々
に薄くなった略くさび状であるため、手乾燥室４に差し込まれた手Ｈに当接した空気流の
多くは指先に向かって、すなわち、手乾燥室４の底面部１３に向かって流れていくことと
なる。
【００３３】
なお、ノズル５ｆ，５ｒからの空気流の吹出方向を、手乾燥室４内のやや下向きに向か
うように設定すると、開口部３から手乾燥室４に下向きに挿入された手Ｈに付着した水分
を手乾燥室４の底面部１３に向かって容易に吹き飛ばすことができる。また、手Ｈに向か
って進行する空気流と、手Ｈの指先に向かう方向との成す角度は大きいため、手Ｈに沿っ
て下降していく空気流が多くなる結果、手Ｈに沿って上昇する空気流は比較的少なくなる
ため、手乾燥室４の上面の開口部３からの吹き返しを低減することができる。
【００３４】
図４で示したように、複数のノズル５ｆ，５ｒから吹き出した空気流は手Ｈに当たって
下方に向きを変えた後に、手乾燥室４の底面部材１０ｕに当接して向きを変えた後、底面
部材１０ｕに沿って左右側方に向かって流れる。図３に示すように、底面部材１０ｕは中
央付近を頂陵として左右方向に下り勾配面を有する形状であるため、底面部材１０ｕに当
接した空気流は頂陵に相当する中央付近を境にして左右に分流され、それぞれ左右の側面
部材７，８に向かって進行する。
【００３５】
これらの空気流は、左側に配設した側面部材７および右側に配設した側面部材８に当接
して上向きの流れとなり、それぞれ側面部材７，８に沿って流れていこうとするが、手乾
燥室４の底面部１３を延長した面と、側面部材８の側面を延長した面とが交差する位置の
近傍に通気口９がそれぞれ配置されているため、底面部材１０ｕに沿って流れてきた空気
流は、側面部材７，８に沿って上昇する前に、各々の通気口９から速やかに外部へ排出さ
れる。また、このような位置に通気口９を配置することにより、底面部１３が外側から見
えないようにすることができるため、意匠効果も得ることができる。
【００３６】
また、通気口９には、通気口９を略水平に跨ぐ状態で隙間を隔てて配置された複数の板
状体６ａによりルーバー６が形成されており、図３に示すように、これらの板状体６ａは
、手乾燥室４内に向かって下り勾配をなすように傾斜配置されている。従って、側面部材
７，８に沿って上昇しようとする空気流が板状体６ａに当接すると、図３に示すように、
空気流の進行方向は手乾燥室４内に向かうよりも、外側に向かう方へ変化しやすいため、
空気流は板状体６ａの隙間を通過して手乾燥室４の外側へ排出される。また、各板状体６
ａは側面部材７，８の内面よりも手乾燥室４内へ向かって突出させているため、側面部材
７，８の内面に沿って上昇する空気流は、図６に示すように、これらの板状体６ａによっ
て通気口９に誘い込まれやすくなる結果、空気流を手乾燥装置１の外側に速やかに排出す
ることができる。
【００３７】
なお、本実施形態の手乾燥装置１においては、図３，図６に示すように、板状体６ａの
断面は平板状としているが、この形状に限定するものではなく、手乾燥室４内に向かった
下り勾配の傾斜を有する部材であれば、翼形状や湾曲形状とすることもできる。また、こ
れらの板状体の断面形状を、内側が手乾燥室４内へ向かった下り勾配で、外側が略水平と
した、上に凸の翼形状や湾曲形状とすれば、通気口９からの空気流の排出方向が上方に向
かないようにすることも可能であるため、排出された空気流が手乾燥装置１の周囲に立っ
ている人の顔に吹きかかって不快感を与えることもなくなる。
【００３８】
次に、図４，図５を参照して、ルーバー６を構成する板状体６ａの遮水手段としての効
果について説明する。図４に示すように、手乾燥室４に挿入された手Ｈにノズル５ｆ，５
ｒから空気流が吹き付けられると、手Ｈの表面に付着している水分は、空気流によって押
し流されて手Ｈの表面を伝って手Ｈの指先まで移動した後、空気流によって吹き飛ばされ
る。このとき、手Ｈから吹き飛ばされた水滴は、手乾燥室４内に発生している下向きの空
気流と重力との相互作用により、図４に示すように、略放射状に広がりながら下向きに吹
き飛ばされる。
【００３９】
手Ｈから吹き飛ばされた水滴の一部は、側面部材７，８の内面に衝突して、そこに付着
し、また、他の一部は通気口９に向かって吹き飛ばされ、残りは手乾燥室４の背面部材１
０ｒや正面部材１０ｆや底面部材１０ｕに衝突してそこに付着する。ところが、図５に示
すように、通気口９には、手乾燥室４内に向かって下り勾配をなす複数の板状体６ａが配
置されており、水滴は板状体６ａに遮られ板状体６ａの上面に衝突してそこに付着するた
め、通気口９を通過して外側へ水滴が飛散するのを阻止することができる。従って、水滴
の飛散方向に向かって見たとき、複数の板状体６ａが隙間なく互いに重なり合って見える
ように板状体６ａを配置すれば、より効果的な遮水機能が得られる。
【００４０】
なお、図６に示すように、これらの板状体６ａの上面は、手乾燥室４内に向かう下り勾
配を成しているため、板状体６ａの上面に付着した水滴は、重力により手乾燥室４内へ落
下しようとする。したがって、通気口９内を板状体６ａに沿って外側に吹き抜ける空気流
により水滴が外側へ吹き出されることがなく、通気口９の外側には空気流だけが排出され
ることになる。
【００４１】
一方、手乾燥室４の背面部材１０ｒ、正面部材１０ｆあるいは底面部材１０ｕに衝突し
て付着した水滴は重力によって下方に伝い落ちていき、図３に示すように、底面部材１０
ｕに沿って側方に流れる空気流に押し流されて左右両端に達した後、底面部材１０ｕの左
右両端と側面部材７，８との間にそれぞれ形成された排水経路１５に流入し、これらの排
水経路１５を経由して回収容器１１（図２参照）に回収される。回収容器１１は手乾燥装
置１に着脱自在に組み込まれているため、回収容器１１内に溜まった水は回収容器１１を
取り外すことによって、所定の排水場所に廃棄することができる。
【００４２】
また、図３，図５，図６に示すように、側面部材７，８においては、通気口９の上縁部
および側縁部に、手乾燥室４内へ突出したリブ１４を連続的に設けている。乾燥運転中、
これらのリブ１４は庇として機能し、濡れた手Ｈから吹き飛ばされて手乾燥室４内の左右
にある側面部材７，８内面に付着した水滴は、リブ１４の上面を伝って、通気口９を避け
るように下方へ流れるため、水滴が直接通気口９を通過して外部に飛散するのを防止する
ことができる。また、このような部分に連続したリブ１４を設けたことにより、通気口９
の上縁部付近および側縁部付近の強度が大幅に向上する。
【００４３】
次に、図７，図８を参照して、本体ケーシング２の右側面に対する側面部材８の着脱機
構について説明する。図７は手乾燥装置１の分解斜視図であり、図８は側面部材８の着脱
機構を示す部分断面図である。なお、本体ケーシング２の左側面に対する側面部材７の着
脱機構も同様である。
【００４４】
図７に示すように、側面部材８は手乾燥室４の側面部分を覆うことができるサイズ、形
状であり、その周縁部分には、フランジ部８ｆ、前方つば部８ａおよび下方つば部８ｂが
設けられ、その内面には、上方掛かり部８ｃおよび下方掛かり部８ｄが設けられている。
また、本体ケーシング２の側面には、側面部材８の前方つば部８ａが挿入される溝２ａと
、下方つば部８ｂが差し込まれる下方差込部２ｂと、上方掛かり部８ｃと係合する上方受
け部２ｃと、下方掛かり部８ｄと係合する下方受け部２ｄとが設けられている。
【００４５】
上方掛かり部８ｃと上方受け部２ｃとの係合構造および下方掛かり部８ｄと下方受け部
２ｄとの係合構造は、図８に示すようになっている。図８に示すように、上方受け部２ｃ
は垂直な平板形状であり、その内面側に突出した傾斜部２ｓと係合面２ｋが設けられてい
る。また、上方掛かり部８ｃは、上方受け部２ｃの傾斜部２ｓ側において、傾斜部２ｓの
係合面２ｋと係合する係合面８ｋが設けられている。
【００４６】
側面部材８を本体ケーシング２に装着する場合の手順は次の通りである。まず、側面部
材８の前方つば部８ａを溝２ａに差し込み、側面部材８を本体ケーシング２の手乾燥室４
の側面に合わせ、下方つば部８ｂを下方差込部２ｂに差し込む。そして、上方掛かり部８
ｃおよび下方掛かり部８ｄをそれぞれ上方受け部２ｃおよび下方受け部２ｄに係合させ、
フランジ部８ｆを手乾燥室４の側面上方に係止すれば装着が完了する。また、これと逆の
手順をとることにより、側面部材８を本体ケーシング２から取り外すことができる。
【００４７】
このように、側面部材８が汚れた場合など、必要に応じて側面部材８を本体ケーシング
２から取り外して清掃や洗浄を行うことが可能であるため、清掃性、メンテナンス性も良
好である。また、本体ケーシング２の左側面に対する側面部材７の着脱機構および着脱手
順についても側面部材８と同様である。なお、側面部材の着脱機構は、本実施形態に限定
されず、側面を覆ったり、開放したりすることが可能な構成であればよい。
【００４８】
次に、図９〜図１２を参照して、側面部材に関するその他の実施の形態について説明す
る。図９〜図１２は、それぞれその他の実施の形態である側面部材を示す斜視図である。
なお、これらの側面部材は、前述した側面部材８と同じ位置に装着して使用されるもので
ある。
【００４９】
図９に示す側面部材５０においては、通気口９の上縁部付近のみに、乾燥室側へ突出し
たリブ５４が設けられている。このような部分にリブ５４を設けることにより、前述した
リブ１４と同様、乾燥運転中は、庇としての機能を発揮するので、手から吹き飛ばされた
水滴が通気口９を通過して外部に飛散するのを防止することができる。
【００５０】
次に、図１０に示す側面部材６０においては、ルーバー６１を形成する複数の板状体６
２を装置の背面側（矢線Ｒ方向）に向かって下り勾配をなすように配置している。このた
め、乾燥中の濡れた手から吹き飛ばされた水滴は、これらの板状体６２に衝突して付着し
た後、その下り勾配に沿って流下するので、水滴を効率良く一定場所に回収することが可
能となる。また、複数の板状体６２に付着した水滴を一定場所に回収することで、装置内
の好ましくない部分への水滴の浸入を防止することもできるので、装置の耐久性向上にも
有効である。
【００５１】
また、図１１に示す側面部材７０においては、ルーバー７１を形成する複数の板状体７
２を装置の正面側（矢線Ｆ方向）に向かって下り勾配をなすように配置している。したが
って、前述した側面部材６０の場合と同様に、乾燥中の濡れた手から吹き飛ばされた水滴
は、これらの板状体７２に衝突して付着した後、その下り勾配に沿って流下するので、水
滴を効率良く一定場所に回収することが可能となる。
【００５２】
一方、図１２に示す側面部材８０においては、ルーバー８１を形成する複数の板状体８
２を装置の正面側（矢線Ｆ方向）に向かって下り勾配をなすように配置するとともに、各
板状体８２の高位側に位置する部分に連続したリブ８３を設け、低位側に位置する部分に
高リブ８４と低リブ８５とを交互に設けている。そして、これら高リブ８４と低リブ８５
との間には、それぞれ板状体８２の上面と連続的に形成された連結部８６を設けている。
【００５３】
このような構成とすれば、ルーバー８１を構成する各板状体８２の上面に付着した水滴
はその下り勾配に沿って流下し、板状体８２の上面と連続した連結部８６を通って高リブ
８４の外面へ流れ出す。したがって、各板状体８２の上面に付着した水滴を確実に高リブ
８４および低リブ８５の外側へ誘導することが可能であり、通気口８７からの水滴の飛散
を防止することができる。
【００５４】
次に、図１３を参照して、本発明のその他の実施の形態である手乾燥装置３０について
説明する。図１３は、その他の実施の形態である手乾燥装置３０を示す斜視図である。図
１３に示すように、本実施形態の手乾燥装置３０においては、側面部材７，８の上縁部の
中央付近を下方へカーブさせることにより、下方に凹んだ湾状部７ｖ，８ｖを形成してい
る。
【００５５】
このような湾状部７ｖ，８ｖを設けたことにより、手乾燥装置３０を上から見たとき、
湾状部７ｖ，８ｖの底部が視点から遠くなるので、上面の開口部３は、遠近効果によって
実際よりも広く見える効果がある。開口部３を広く感じさせることにより、手乾燥室４内
へ手を差し込むときの狭隘感を軽減することができる。
【００５６】
また、湾状部７ｖ，８ｖがあることにより、側面部材７，８に沿って上昇した空気流は
、低い湾状部７ｖ，８ｖから外側へ逃げやすくなる。さらに、開口部３から差し込む光が
手乾燥室４の比較的深い位置まで届くようになるので、明かり採りとしての効果も得られ
る。その他の構造、機能については、前述した手乾燥装置１と同様である。なお、湾状部
７ｖ，８ｖの最下部をノズル５よりも高い位置に配置させることで側方への水滴飛散を防
止する効果は、図２に示す手乾燥装置１と同様に得ることができる。
【００５７】
次に、図１４を参照して、本発明のその他の実施の形態である手乾燥装置４０について
説明する。図１４は本発明のその他の実施の形態である手乾燥装置を示す概略斜視図であ
る。
【００５８】
手乾燥装置４０は、本体ケーシング４２と、本体ケーシング４２の前面に開口部４３と
、開口部４３から手を挿入して乾燥するための手乾燥室４４とを備え、手乾燥室４４の上
方には電動送風機５３が内蔵されている。また、電動送風機５３から送給される空気流を
手乾燥室４４内に吹き出して、手乾燥室４４に挿入された手に吹き付けるためのノズル４
５が手乾燥室４４の天井部分に配置されている。また、手乾燥室４４の上方には、開口部
４３から手乾燥室４４に差し込まれた手を検知するセンサ５２が配置されている。手乾燥
室４４の底部には、水受け部４８と、排水口５５とが設けられ、その下方に水の回収容器
５１が配置されている。
【００５９】
開口部４３から手乾燥室４４内に手が差し込まれると、センサ５２がそれを検知して自
動的に電動送風機５３が作動し、手乾燥室４４内にある手に向かって空気流を吹き付け、
手の表面の水を吹き飛ばしたり、蒸発させたりすることによって手を乾燥する。そして、
手乾燥室４４から手を抜き取ると、センサ５２が手乾燥室４４内に手の無いことを検知し
て自動的に電動送風機５３を停止する。手から吹き飛ばされた水は、水受け部４８で受け
て、排水口５５を通って回収容器５１に流れ込む。
【００６０】
手乾燥室４４の左右側面には、それぞれ側面部材４７が配置され、これらの側面部材４
７には通気口４９と、遮水手段であるルーバー４６とを備えている。通気口４９は、ノズ
ル４５から吹き出した空気流が開口部４３から吹返さないように、乾燥室４４内の風を排
出する機能を有する。遮水手段でもあるルーバー４６は、手乾燥室４４内で吹き飛ばされ
た水滴が、通気口４９から直接飛散しないように水滴の飛散経路を遮蔽するものである。
ルーバー４６は通気口４９を跨ぐように隙間を隔てて配置された複数の板状体４６ａによ
って構成されている。
【００６１】
このような構成とすることにより、乾燥運転中における手乾燥装置４０の側方への水滴
の飛散をなくすことができるだけでなく、十分な乾燥性能を得られるだけの空気流をノズ
ル４５から吹き出しても、開口部４３から不快な吹き返しが発生することがない。
【００６２】
次に、図１５，図１６を参照して、本発明のその他の実施の形態である手乾燥装置９０
について説明する。図１５はその他の実施の形態である手乾燥装置を示す斜視図であり、
図１６は図１５のＣ-Ｃ線における手挿入状態を示す部分断面図である。なお、図１５，
図１６において前述した手乾燥装置１，３０，４０の構成部分と同じ機能、効果を有する
部分については図１〜図１４と同じ符号を付して説明を省略する。
【００６３】
図１５，図１６に示すように、手乾燥装置９０は、電動送風機（図示せず）が内蔵され
た箱状の本体ケーシング９２と、手を乾燥するために本体ケーシング９２内に設けられた
手乾燥室９５と、本体ケーシング９２の上面および左右側面に開設され手乾燥室９５と本
体ケーシング９２の外部とを連通する開口部９３，９４と、電動送風機から送給される空
気流を手乾燥室９５内へ挿入された手Ｈに向かって吹き出すために設けられた複数のノズ
ル５ｆ，５ｒとを備え、本体ケーシング９２の左右側面に開設された開口部９４に水滴の
通過を防止する遮水手段であるルーバー９６を設けている。
【００６４】
図１６に示すように、上面の開口部９３から手乾燥室９５内へ手Ｈを挿入すれば、前後
に配置された複数のノズル５ｆ，５ｒから手乾燥室９５内の手Ｈに向かって吹き出される
空気流によって手Ｈを乾燥することができる。このとき、ノズル５ｆ，５ｒから手乾燥室
９５内へ吹き出された空気流は、本体ケーシング９２の左右側面に開設された開口部９４
から外部へ排出されるため、吹き返しが低減され、開口部９４にルーバー９６を設けたこ
とにより周辺装置への水滴の飛散も抑制され、優れた乾燥性能を発揮する。
【００６５】
手乾燥装置９０の場合、本体ケーシング９２の左右側面に開設された開口部９４はいず
れも、手乾燥室９５の垂直方向（本体ケーシング９２の側面と平行方向）の断面形状と同
じ形状で面積も同じであるため、ノズル５ｆ，５ｒから手乾燥室９５内に吹き出された空
気流を本体ケーシング９２の外部へ速やかに排出することができ、乾燥性能の向上に有効
である。また、開口部９４においては、その上端付近を除くほぼ全領域にルーバー９６を
設けているため、手乾燥室９５内に挿入された手Ｈから吹き飛ばされた水滴の飛散経路が
全面的に遮蔽され、開口部９４からの水滴飛散を確実に防止することができる。
【産業上の利用可能性】
【００６６】
本発明の手乾燥装置は、鉄道の駅、ホテル、映画館あるいは大型商業設備などの公共施
設のトイレや洗面所などに設置して広く利用することができる。
【図面の簡単な説明】
【００６７】
【図１】本発明の実施の形態である手乾燥装置を洗面所に設置した状態を示す斜視図である。
【図２】図１に示す手乾燥装置の斜視図である。
【図３】図２のＡ-Ａ線における部分断面図である。
【図４】図２のＢ-Ｂ線における手挿入状態を示す部分断面図である。
【図５】図２に示す手乾燥装置を構成する側面部材を内側から見た斜視図である。
【図６】図３の部分拡大図である。
【図７】図２に示す手乾燥装置の分解斜視図である。
【図８】図７に示す側面部材の着脱機構を示す部分断面図である。
【図９】その他の実施の形態である側面部材を示す斜視図である。
【図１０】その他の実施の形態である側面部材を示す斜視図である。
【図１１】その他の実施の形態である側面部材を示す斜視図である。
【図１２】その他の実施の形態である側面部材を示す斜視図である。
【図１３】本発明のその他の実施の形態である手乾燥装置を示す斜視図である。
【図１４】本発明のその他の実施の形態である手乾燥装置を示す斜視図である。
【図１５】本発明のその他の実施の形態である手乾燥装置を示す斜視図である。
【図１６】図１５のＣ-Ｃ線における手挿入状態を示す部分断面図である。
【符号の説明】
【００６８】
１，３０，４０，９０  手乾燥装置
２，４２，９２  本体ケーシング
２ａ  溝
２ｂ  下方差込部
２ｃ  上方受け部
２ｄ  下方受け部
２ｓ  傾斜部
２ｋ，８ｋ  係合面
３，４３，９３，９４  開口部
４，４４，９５  手乾燥室
５ｆ，５ｒ，４５  ノズル
６，４６，６１，７１，８１，９６  ルーバー
６ａ，４６ａ，６２，７２，８２  板状体
７，８，４７，５０，６０，７０，８０  側面部材
７ｖ，８ｖ  湾状部
８ａ  前方つば部
８ｂ  下方つば部
８ｃ  上方掛かり部
８ｄ  下方掛かり部
８ｆ  フランジ部
９，４９  通気口
１０ｆ  正面部材
１０ｒ  背面部材
１０ｕ  底面部材
１１，５１  回収容器
１２ａ，１２ｂ，５２  センサ
１３  底面部
１４，５４，８３  リブ
２０  手洗い器
２１  水栓
４８  水受け部
５３  電動送風機
５５  排水口
８４  高リブ
８５  低リブ
８６  連結部
１５  排水経路
Ｈ  手
Ｈ１  甲側
Ｈ２  掌側
Ｗ  壁面
【図１】
2005329266.tif 000003
【図２】
2005329266.tif 000004
【図３】
2005329266.tif 000005
【図４】
2005329266.tif 000006
【図５】
2005329266.tif 000007
【図６】
2005329266.tif 000008
【図７】
2005329266.tif 000009
【図８】
2005329266.tif 000010
【図９】
2005329266.tif 000011
【図１０】
2005329266.tif 000012
【図１１】
2005329266.tif 000013
【図１２】
2005329266.tif 000014
【図１３】
2005329266.tif 000015
【図１４】
2005329266.tif 000016
【図１５】
2005329266.tif 000017
【図１６】
2005329266.tif 000018